(57)【要約】【課題】筐体と手差しトレイとが上下方向に重複して配置されつつも、手差しトレイが筐体の回動を妨害しない装置を提供する。【解決手段】当該装置は、プリンタ筐体１４と、プリンタ筐体１４の上側を覆う第１状態及び当該上側を開放する第２状態に変化するスキャナ筐体２３と、プリンタ筐体１４の後壁４６に設けられ、スキャナ筐体２３の回動軸よりも下方の突起６７を軸として、回動先端が当該回動軸よりも上方に位置する第３状態及び回動先端が第３状態よりも後壁４６から離間した第４状態に変化する手差しトレイ７０と、手差しトレイ７０をスキャナ筐体２３と連結した状態及び当該連結が解除された状態に変化可能な保持部９０とを備える。保持部９０は、連結状態において、スキャナ筐体２３の第２状態への回動に連動して、手差しトレイ７０を第４状態側へ回動させる。【選択図】図９
2015067450.tif 000002
【特許請求の範囲】
【請求項１】
搬送路を搬送されるシートに画像を記録する記録部を有する第１筐体と、
上記第１筐体の上方に、上記第１筐体の後壁側に設けられた第１軸を中心に回動可能に設けられ、上記第１筐体の上側を覆う第１状態及び上記第１筐体の上側を開放する第２状態に変化する第２筐体と、
上記第１筐体の後壁に、上記第１軸よりも下方において上記第１軸の軸方向に沿って延びた第２軸を中心に回動可能に設けられ、回動先端が上記第１軸よりも上方に位置する第３状態、及び回動先端が上記第３状態よりも上記第１筐体の後壁から離間した第４状態に変化する手差しトレイと、
上記手差しトレイを、上記第２筐体と連結した連結状態、及び上記第２筐体との連結が解除された解除状態に変化可能な保持部と、を備え、
上記連結状態の上記手差しトレイは、上記第２筐体が上記第１状態において上記第３状態であり、
上記保持部は、上記手差しトレイが上記連結状態において、上記第２筐体の上記第１状態から上記第２状態への回動に連動して、上記手差しトレイを上記第４状態側へ回動させ、上記第２筐体の上記第２状態から上記第１状態への回動に連動して、上記手差しトレイを上記第３状態側へ回動させる画像記録装置。
【請求項２】
上記保持部は、
上記手差しトレイまたは上記第２筐体の一方から他方へ上記軸方向に沿って延びた突起部と、
上記手差しトレイまたは上記第２筐体の他方に設けられており、上記突起部と係合して上記手差しトレイの回動を規制可能且つ係合した上記突起部に摺動可能な係合部と、を備え、
上記突起部は、
上記第２筐体の上記第１状態から上記第２状態への回動に連動して、上記係合部に対して第１向きへ摺動して、上記手差しトレイを上記第４状態側へ回動させ、上記第２筐体の上記第２状態から上記第１状態への動きに連動して、上記係合部に対して上記第１向きと逆向きの第２向きへ摺動して、上記手差しトレイを上記第３状態側へ回動させる請求項１に記載の画像記録装置。
【請求項３】
上記保持部は、
上記突起部を上記係合部と係合する位置に移動させることによって上記手差しトレイを上記連結状態に変化させ、上記突起部を上記係合部から離間する位置に移動させることによって上記手差しトレイを上記解除状態に変化させる請求項２に記載の画像記録装置。
【請求項４】
上記第１筐体の後壁から前方へ凹んでおり、上記第３状態の上記手差しトレイの回動基端側が収容される第１凹部と、
上記第２筐体の後壁から前方へ凹んでおり、上記第３状態の上記手差しトレイの回動先端側が収容される第２凹部と、を更に備え、
上記第２凹部は、上記第２筐体の上面から下面に亘って設けられており、
上記第２凹部を構成する一対の側面に、上記突起部または上記係合部の一方が設けられ、
上記手差しトレイにおける上記一対の側面と対向する面に、上記突起部または上記係合部の他方が設けられている請求項２または３に記載の画像記録装置。
【請求項５】
上記第１状態の上記第２筐体の上面と、上記第３状態の上記手差しトレイの上面とは、同一平面上に位置している請求項４に記載の画像記録装置。
【請求項６】
上記第１筐体の後壁の後面と、上記第１状態の上記第２筐体の後壁の後面と、上記第３状態の上記手差しトレイの後面とは、同一平面上に位置している請求項４または５に記載の画像記録装置。
【請求項７】
上記搬送路は、被記録媒体を支持可能な媒体トレイを搬送可能であって、
上記手差しトレイは、上記搬送路よりも上方に設けられている請求項１から６のいずれかに記載の画像記録装置。
【請求項８】
上記第２筐体には、読取機構が設けられている請求項１から７のいずれかに記載の画像記録装置。
【発明の詳細な説明】
【技術分野】
【０００１】
本発明は、内部に設けられた搬送路を搬送されるシートに画像を記録する画像記録装置に関する。
【背景技術】
【０００２】
筐体の内部に搬送路が形成されており、搬送路に案内されて搬送されるシートに画像を記録する画像記録装置が知られている。画像記録装置には、シートを搬送路へ案内するための手差しトレイを有するものがある。また、画像記録装置では、メンテナンスや紙詰まりの解消のために、筐体の一部が開閉される構成が採用されることがある。
【０００３】
特許文献１に開示された画像記録装置は、画像形成部の側面に手差しトレイが設けられており、画像形成部の上方にスキャナユニットが設けられている。手差しトレイは、側面から斜め上方に傾斜しており手差し給紙口を開放する開状態と、手差し給紙口を閉じる閉状態とに回動可能である。
【先行技術文献】
【特許文献】
【０００４】
【特許文献１】特開平８−１１３３７９号公報
【発明の概要】
【発明が解決しようとする課題】
【０００５】
特許文献１に開示された画像記録装置を上下方向に小型化しようとする場合、手差しトレイの回動先端側が上下方向においてスキャナユニットと重複することが考えられる。
【０００６】
しかしながら、特許文献１に開示された画像形成装置において、スキャナユニットが、画像形成部の手差しトレイ側を回動基端側として回動することによって、画像形成部の上側を開閉可能に構成されている場合、スキャナユニットは回動する手差しトレイと接触してしまう。これにより、手差しトレイがスキャナユニットの回動を妨害してしまう。その結果、手差しトレイは、回動するスキャナユニットとの接触を避けるために、スキャナユニットよりも下方に配置せざるを得なくなる。そのため、手差しトレイを下方に下げた分だけ画像記録装置を長くせざるを得なくなり、画像記録装置の小型化ができない。
【０００７】
本発明は、上記問題に鑑みてなされたものであり、その目的は、回動する筐体と手差しトレイとが上下方向に重複して配置されつつも、手差しトレイが筐体の回動を妨害しない構成とすることで小型化された画像記録装置を提供することにある。
【課題を解決するための手段】
【０００８】
(1)  本発明に係る画像記録装置は、搬送路を搬送されるシートに画像を記録する記録部を有する第１筐体と、上記第１筐体の上方に、上記第１筐体の後壁側に設けられた第１軸を中心に回動可能に設けられ、上記第１筐体の上側を覆う第１状態及び上記第１筐体の上側を開放する第２状態に変化する第２筐体と、上記第１筐体の後壁に、上記第１軸よりも下方において上記第１軸の軸方向に沿って延びた第２軸を中心に回動可能に設けられ、回動先端が上記第１軸よりも上方に位置する第３状態、及び回動先端が上記第３状態よりも上記第１筐体の後壁から離間した第４状態に変化する手差しトレイと、上記手差しトレイを、上記第２筐体と連結した連結状態、及び上記第２筐体との連結が解除された解除状態に変化可能な保持部と、を備える。上記連結状態の上記手差しトレイは、上記第２筐体が上記第１状態において上記第３状態である。上記保持部は、上記手差しトレイが上記連結状態において、上記第２筐体の上記第１状態から上記第２状態への回動に連動して、上記手差しトレイを上記第４状態側へ回動させ、上記第２筐体の上記第２状態から上記第１状態への回動に連動して、上記手差しトレイを上記第３状態側へ回動させる。
【０００９】
本構成によれば、手差しトレイが第３状態のときに第２筐体が第１状態から第２状態に変化すると、手差しトレイは第４状態側へ回動する。これにより、第２筐体が回動する範囲と手差しトレイが回動する範囲とが重複するレイアウトが採用されても、手差しトレイが第２筐体の第２状態への回動を妨害することを防止できる。第２筐体が第２状態から第１状態へ変化すると、手差しトレイは第３状態側へ回動する。これにより、第４状態の手差しトレイは、第３状態へ回動可能となる。
【００１０】
(2)  上記保持部は、上記手差しトレイまたは上記第２筐体の一方から他方へ上記軸方向に沿って延びた突起部と、上記手差しトレイまたは上記第２筐体の他方に設けられており、上記突起部と係合して上記手差しトレイの回動を規制可能且つ係合した上記突起部に摺動可能な係合部と、を備える。上記突起部は、上記第２筐体の上記第１状態から上記第２状態への回動に連動して、上記係合部に対して第１向きへ摺動して、上記手差しトレイを上記第４状態側へ回動させ、上記第２筐体の上記第２状態から上記第１状態への動きに連動して、上記係合部に対して上記第１向きと逆向きの第２向きへ摺動して、上記手差しトレイを上記第３状態側へ回動させる。
【００１１】
本構成によれば、手差しトレイが第３状態のときに第２筐体が第１状態から第２状態に変化する際、突起部は係合部に対して第１向きへ摺動して、手差しトレイを第４状態側へ回動させることができる。また、第２筐体が第２状態から第１状態へ変化する際、突起部は係合部に対して第２向きへ摺動して、手差しトレイを第３状態側へ回動させることができる。
【００１２】
(3)  上記保持部は、上記突起部を上記係合部と係合する位置に移動させることによって上記手差しトレイを上記連結状態に変化させ、上記突起部を上記係合部から離間する位置に移動させることによって上記手差しトレイを上記解除状態に変化させる。
【００１３】
本構成によれば、手差しトレイを連結状態と解除状態とに変化させる構成を簡易な構成で実現できる。
【００１４】
(4)  本発明に係る画像記録装置は、上記第１筐体の後壁から前方へ凹んでおり、上記第３状態の上記手差しトレイの回動基端側が収容される第１凹部と、上記第２筐体の後壁から前方へ凹んでおり、上記第３状態の上記手差しトレイの回動先端側が収容される第２凹部と、を更に備える。上記第２凹部は、上記第２筐体の上面から下面に亘って設けられている。上記第２凹部を構成する一対の側面に、上記突起部または上記係合部の一方が設けられている。上記手差しトレイにおける上記一対の側面と対向する面に、上記突起部または上記係合部の他方が設けられている。
【００１５】
本構成によれば、第２凹部が第２筐体の上面にまで設けられているため、装置の前側から装置の後側に設けられた第３状態の手差しトレイへ上方からアクセス容易である。これにより、装置の前側から手差しトレイを容易に回動させることができる。また、第３状態の手差しトレイを第１凹部及び第２凹部に収納することができるため、画像記録装置を小型化することができる。
【００１６】
(5)  上記第１状態の上記第２筐体の上面と、上記第３状態の上記手差しトレイの上面とは、同一平面上に位置している。
【００１７】
本構成によれば、画像記録装置の上面を面一とすることができるため、画像記録装置の外観を良くすることができる。
【００１８】
(6)  上記第１筐体の後壁の後面と、上記第１状態の上記第２筐体の後壁の後面と、上記第３状態の上記手差しトレイの後面とは、同一平面上に位置している。
【００１９】
本構成によれば、画像記録装置の後面を面一とすることができるため、画像記録装置の外観を良くすることができる。
【００２０】
(7)  上記搬送路は、被記録媒体を支持可能な媒体トレイを搬送可能である。上記手差しトレイは、上記搬送路よりも上方に設けられている。
【００２１】
本構成によれば、手差しトレイと媒体トレイとの接触を防止できる。
【００２２】
(8)  上記第２筐体には、読取機構が設けられている。
【００２３】
本構成によれば、使用頻度が比較的高い読取機構を備えた構成において、第２筐体の回動範囲に手差しトレイを配置することができる。
【発明の効果】
【００２４】
本発明によれば、回動する第２筐体と手差しトレイとが上下方向に重複して配置されつつも、手差しトレイが第２筐体の回動を妨害しない構成とすることで小型化された画像記録装置が実現される。
【図面の簡単な説明】
【００２５】
【図１】図１は、スキャナ筐体２３が第１状態且つ手差しトレイ７０が第３状態のときの複合機１０の斜視図である。
【図２】図２は、スキャナ筐体２３が第１状態且つ手差しトレイ７０が第４状態のときの複合機１０の斜視図である。
【図３】図３は、スキャナ筐体２３が第２状態のときの複合機１０の斜視図である。
【図４】図４は、プリンタ部１１の内部構造を模式的に示す縦断面図である。
【図５】図５は、手差しトレイ７０、スキャナ筐体２３の後側、及びプリンタ筐体１４の後側の斜視図である。
【図６】図６は、手差しトレイ７０、スキャナ筐体２３の後側、及びプリンタ筐体１４の後側を後ろ上方から見た斜視図である。
【図７】図７は、スキャナ筐体２３が第１状態且つ手差しトレイ７０が第３状態のときの図６のＡ−Ａ断面図である。
【図８】図８は、スキャナ筐体２３が第１状態且つ手差しトレイ７０が第４状態のときの図６のＡ−Ａ断面図である。
【図９】図９は、スキャナ筐体２３が第２状態のときの図６のＡ−Ａ断面図である。
【発明を実施するための形態】
【００２６】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、手差しトレイ７０が設けられている側を奥側（背面）として前後方向８が定義され、複合機１０を奥側とは反対側の手前側（正面）から見て左右方向９が定義される。
【００２７】
［複合機１０の全体構造］
図１に示されるように、複合機１０（本発明の画像記録装置の一例）は、薄型の直方体に概ね形成されており、上部にスキャナ部１３が設けられており、下部にプリンタ部１１が設けられている。プリンタ部１１は、概ね直方体に形成されたプリンタ筐体１４（本発明の第１筐体の一例）を有している。スキャナ部１３は、概ね直方体に形成されたスキャナ筐体２３（本発明の第２筐体の一例）を有している。
【００２８】
複合機１０は、ファクシミリ機能及びプリント機能などの各種の機能を有している。複合機１０は、プリント機能として、インクジェット方式で記録用紙１２（図４参照）の片面に画像を記録する機能を有している。なお、複合機１０は、記録用紙１２の両面に画像を記録するものであってもよい。複合機１０は、メディアトレイ１１０（図４参照）に支持された記録用紙１２よりも厚みのあるＣＤ−ＲＯＭやＤＶＤ−ＲＯＭなどの記録メディア（本発明の被記録媒体の一例）の盤面上に画像を記録する機能を有する。
【００２９】
［給送トレイ２０］
図４に示されるように、プリンタ部１１の下部には、給送トレイ２０が設けられている。給送トレイ２０は、前後方向８に移動することによって、プリンタ筐体１４に対して装着及び脱抜可能である。給送トレイ２０は、上側が開放された箱形状の部材である。給送トレイ２０の底板２２には、記録用紙１２が重ねられた状態で支持可能である。給送トレイ２０の前側且つ上側には、排出トレイ２１が支持されている。排出トレイ２１の上面には、後述する記録部２４によって画像を記録された記録用紙１２が排出される。
【００３０】
［給送部１６］
図４に示されるように、給送部１６は、プリンタ筐体１４に挿入された状態の給送トレイ２０の底板２２の上方に設けられている。給送部１６は、給送ローラ２５、給送アーム２６、及び駆動伝達機構２７を備えている。給送ローラ２５は、給送アーム２６の先端部で軸支されている。給送アーム２６は、基端部に設けられた支軸２８を中心として、矢印２９の方向に回動可能である。これにより、給送ローラ２５は、給送トレイ２０の底板２２または当該給送トレイ２０に支持された記録用紙１２に対して、当接及び離間が可能である。
【００３１】
給送ローラ２５は、複数のギヤが噛合されてなる駆動伝達機構２７によって、搬送用モータ（不図示）の駆動力が伝達されて回転する。これにより、給送トレイ２０の底板２２に載置された記録用紙１２のうち、給送ローラ２５と当接している最も上側の記録用紙１２が、後述する湾曲路３３へ給送される。なお、給送ローラ２５は、搬送用モータとは別に設けられたモータから駆動力を付与されて回転してもよい。
【００３２】
［湾曲路３３及び直線路３４］
図４に示されるように、プリンタ筐体１４内部において、給送トレイ２０の後端部から湾曲路３３及び直線路３４（本発明の搬送路の一例）が延出されている。湾曲路３３は、給送トレイ２０の後端部から上方へ向かって湾曲しつつ延びている。直線路３４は、前後方向８に延びている。
【００３３】
湾曲路３３は、所定間隔を隔てて互いに対向する外側ガイド部材１８と内側ガイド部材１９とによって形成されている。直線路３４は、記録部２４が配置されている位置において、所定間隔を隔てて互いに対向する記録部２４とプラテン４２とによって形成されている。
【００３４】
給送トレイ２０に支持された記録用紙１２は、給送ローラ２５によって湾曲路３３へ給送され、湾曲路３３から直線路３４に亘って図２に一点鎖線の矢印で示される搬送向き１５に沿って搬送される。メディアトレイ１１０は、プリンタ筐体１４の前側に設けられた開口（不図示）から直線路３４へ挿入され、直線路３４に沿って前後方向８に搬送される。つまり、湾曲路３３は、記録用紙１２を搬送可能であり、直線路３４は、記録用紙１２またはメディアトレイ１１０を搬送可能である。
【００３５】
［記録部２４］
図４に示されるように、記録部２４は、プリンタ筐体１４内部における直線路３４の上側に設けられている。記録部２４の下側且つ記録部２４と対向する位置には、直線路３４を搬送される記録用紙１２を支持可能なプラテン４２が設けられている。
【００３６】
図２に示されるように、記録部２４は、キャリッジ４０と記録ヘッド３８とを備えている。キャリッジ４０は、前後方向８に間隔を空けて配置された２つのガイドレール５６、５７によって左右方向９へ往復移動可能に支持されている。記録ヘッド３８は、キャリッジ４０に搭載されている。記録ヘッド３８には、インクカートリッジ（不図示）からインクが供給される。記録ヘッド３８の下面には、ノズル３９が形成されている。キャリッジ４０が左右方向９に移動しているときに、記録ヘッド３８は、ノズル３９からインク滴をプラテン４２に向けて吐出する。これにより、搬送向き１５に搬送されてプラテン４２に支持された記録用紙１２、または、メディアトレイ１１０に支持された記録メディアに画像が記録される。
【００３７】
［搬送ローラ対５９及び排出ローラ対４４］
図４に示されるように、直線路３４における記録部２４よりも搬送向き１５の上流側には、搬送ローラ対５９が配置されている。直線路３４における記録部２４よりも搬送向き１５の下流側には、排出ローラ対４４が配置されている。搬送ローラ対５９は、搬送ローラ６０とピンチローラ６１とを備えている。ピンチローラ６１は、弾性部材（不図示）によって搬送ローラ６０側へ付勢されている。搬送ローラ６０とピンチローラ６１とは互いに当接しており、記録用紙１２を挟持可能である。排出ローラ対４４は、排出ローラ６２と拍車６３とを備えている。排出ローラ６２は、弾性部材（不図示）によって拍車６３側へ付勢されている。排出ローラ６２と拍車６３とは互いに当接しており、記録用紙１２を挟持可能である。
【００３８】
搬送ローラ対５９と排出ローラ対４４とは、記録用紙１２の他にメディアトレイ１１０を挟持可能である。各ローラ対５９、４４がメディアトレイ１１０を挟持する際、各ローラ対５９、４４の下側に配置されたピンチローラ６１と排出ローラ６２とが下方に移動する。また、プラテン４２も直線路３４を搬送されるメディアトレイ１１０よりも下方の位置まで移動する。ピンチローラ６１、排出ローラ６２、及びプラテン４２の上下方向７への移動は、公知の機構、例えばリニアモータを用いた機構によって行われる。或いは、ピンチローラ６１と排出ローラ６２とは、後向きに挿入または搬送されるメディアトレイ１１０と当接することによって、弾性部材の付勢力に抗って下方へ移動してもよい。
【００３９】
搬送ローラ６０及び排出ローラ６２は、搬送用モータ（不図示）から正転の駆動力が伝達されて正転し、逆転の駆動力が伝達されて逆転する。搬送ローラ対５９及び排出ローラ対４４は、搬送ローラ６０及び排出ローラ６２が正転している場合に、挟持している記録用紙１２またはメディアトレイ１１０を、直線路３４に沿って搬送向き１５に搬送し、搬送ローラ６０及び排出ローラ６２が逆転している場合に、挟持している記録用紙１２またはメディアトレイ１１０を、直線路３４に沿って搬送向き１５と逆向きに搬送する。
【００４０】
［記録用紙１２及び記録メディアへの画像記録］
最初に、給送トレイ２０に支持された記録用紙１２への画像記録について説明する。図４に示されるように、給送ローラ２５が回転することによって給送トレイ２０に支持された記録用紙１２が湾曲路３３へ給送される。湾曲路３３へ給送された記録用紙１２が直線路３４に設けられた搬送ローラ対５９に挟持されると、当該記録用紙１２は搬送向き１５に搬送されてプラテン４２へ送られる。記録部２４は、プラテン４２に支持された記録用紙１２に対して画像を記録する。画像を記録された記録用紙１２は、排出ローラ対４４によって搬送向き１５に搬送されて排出トレイ２１へ排出される。
【００４１】
次に、手差しトレイ７０に支持された記録用紙１２への画像記録について説明する。図４に示されるように、手差しトレイ７０に記録用紙１２が支持される際、当該記録用紙１２は、その先端が搬送ローラ対５９と接触した状態で支持される。この状態で、搬送ローラ６０が正転すると、当該記録用紙１２は搬送向き１５に搬送されてプラテン４２へ送られる。記録部２４は、プラテン４２に支持された記録用紙１２に対して画像を記録する。画像を記録された記録用紙１２は、排出ローラ対４４によって搬送向き１５に搬送されて排出トレイ２１へ排出される。
【００４２】
次に、メディアトレイ１１０に支持された記録メディアへの画像記録について説明する。まず、ユーザが不図示の操作部を操作することによって、ピンチローラ６１、排出ローラ６２、及びプラテン４２を下方へ移動させる。この状態で、図４に示されるように、記録メディアが支持されたメディアトレイ１１０がプリンタ部１１の前側に設けられた開口（不図示）から直線路３４へ挿入される。メディアトレイ１１０は、少なくとも排出ローラ対４４に挟持される位置まで挿入される。
【００４３】
その後、排出ローラ６２及び搬送ローラ６０が逆転されることにより、メディアトレイ１１０は、後向きへ搬送される。メディアトレイ１１０は、支持された記録メディアが記録部２４よりも後方となる位置まで搬送される。このとき、メディアトレイ１１０の挿入先端１１８は、プリンタ筐体１４の後壁４６に設けられた開口１３４から突出している。
【００４４】
この状態において、搬送用モータから搬送ローラ６０及び排出ローラ６２へ伝達される駆動力が、逆転から正転へ切り換えられる。これにより、メディアトレイ１１０が前向きに搬送され、メディアトレイ１１０に載置された記録メディアが記録部２４の下方を通る。このとき、記録部２４は、搬送される記録メディアに対して画像を記録する。画像を記録された記録メディアが支持されたメディアトレイ１１０は、プリンタ部１１の前側に設けられた開口（不図示）から外部に排出される。
【００４５】
［プリンタ筐体１４］
図１に示されるように、プリンタ筐体１４は、前壁４５と、前壁４５の後方に対向して設けられた後壁４６（本発明の第１筐体の後壁の一例）と、前壁４５及び後壁４６の左右両端部を繋ぐ一対の側壁４７とを備えている。
【００４６】
図５に示されるように、後壁４６の左右方向９の中央部には、前方へ凹んだ第１凹部４８が設けられている。第１凹部４８には、手差しトレイ７０の一部(下側）が収容される（図１参照）。第１凹部４８の左右方向９の長さは、手差しトレイ７０の左右方向９の長さと略同一である。第１凹部４８の奥行き（前後方向８）の長さは、手差しトレイ７０の前後方向８の長さと略同一である。第１凹部４８は、上下方向７において、後壁４６の上面から、収容された手差しトレイ７０の下端よりも下方まで形成されている。
【００４７】
第１凹部４８を構成する一対の側面６６には、対向する側面６６へ向けて突出した突起６７（本発明の第２軸の一例）が設けられている。つまり、突起６７は、左右方向９に延びている。
【００４８】
［スキャナ筐体２３］
図１に示されるスキャナ筐体２３は、プリンタ筐体１４の上方に設けられている。スキャナ筐体２３の前後方向８及び左右方向９の寸法は、プリンタ筐体１４と略同一である。したがって、スキャナ筐体２３を上方として、プリンタ筐体１４及びスキャナ筐体２３が一体となって、複合機１０の概ね直方体形状の外形を形成している。
【００４９】
スキャナ筐体２３には、原稿がセットされるプラテンガラス（不図示）や、プラテンガラスにセットされた原稿を読み取るイメージセンサ（不図示）などで構成された読取機構（不図示）が配置されている。スキャナ筐体２３は、後壁５０（本発明の第２筐体の後壁の一例）と、後壁５０の左右両端部から前方へ延びた一対の側壁５１と、回動カバー５２とを備えている。
【００５０】
後壁５０、及び一対の側壁５１は、それらの上端部において上述したプラテンガラスを支持している。プラテンガラスの下方、つまり後壁５０及び一対の側壁５１によって形成された空間には、上述したイメージセンサが配置されている。
【００５１】
回動カバー５２は、後壁５０、及び一対の側壁５１の上方に配置されている。回動カバー５２の後端部は後壁５０に支持されており、回動カバー５２の左右両端部は一対の側壁５１に支持されている。回動カバー５２は、左右方向９に沿った回動軸線周りに回動可能に後壁５０と連結されている。これにより、回動カバー５２は、プラテンガラスを上方から覆う状態（図１参照）と、プラテンガラスを開放する状態（不図示）とに回動可能である。プラテンガラスが開放された状態で、プラテンガラスに原稿が載置される。このとき、原稿は、画像が表示された側の面を下側にして載置される。この状態で、回動カバー５２がプラテンガラスを上方から覆う状態にされる。そして、原稿に記録された画像が、イメージセンサによって読み取られる。
【００５２】
スキャナ筐体２３は、プリンタ筐体１４の後壁４６側において左右方向９に沿った回動軸線（図５及び図７〜図９参照）周りに回動可能にプリンタ筐体１４と連結されている。詳細には、スキャナ筐体２３の回動軸線５３の位置から左右方向９に延びた突起（不図示、本発明の第１軸の一例）が、プリンタ筐体１４の後壁４６に設けられた開口（不図示）へ挿入されることで、スキャナ筐体２３とプリンタ筐体１４とは連結されており、スキャナ筐体２３は、当該突起の中心線である回動軸線５３を中心として回動する。当該突起は、上述した突起６７よりも上方に設けられている。なお、当該突起がプリンタ筐体１４に設けられており、当該開口がスキャナ筐体２３に設けられていてもよい。
【００５３】
上述のように構成されていることにより、スキャナ筐体２３は、図９に示される矢印９１、９５の方向に回動可能である。これにより、スキャナ筐体２３は、図１に示される第１状態及び図３に示される第２状態に変化する。第１状態において、スキャナ筐体２３の回動カバー５２の前端部の下面は、プリンタ筐体１４の前壁４５の上面と当接しており、スキャナ筐体２３の一対の側壁５１の下面は、プリンタ筐体１４の一対の側壁４７の上面と当接している。これにより、第１状態のスキャナ筐体２３は、プリンタ筐体１４の上側を覆っている。なお、第１１状態のスキャナ筐体２３は、プリンタ筐体１４の上側の全部を覆っていてもよいし当該上側の一部を覆っていてもよい。一方、第２状態において、回動カバー５２の前端部及び一対の側壁５１は、前壁４５及び一対の側壁４７から離間している。これにより、第２状態のスキャナ筐体２３は、プリンタ筐体１４の上側を開放している。
【００５４】
図５に示されるように、後壁５０には、第２凹部５５が設けられている。第２凹部５５は、後壁５０の後端から前方へ凹んでいる。第２凹部５５には、手差しトレイ７０の一部（上側）が収容される（図１参照）。第２凹部５５の左右方向９の長さは、手差しトレイ７０の左右方向９の長さと略同一である。第２凹部５５の奥行き（前後方向８）の長さは、手差しトレイ７０の前後方向８の長さと略同一である。第２凹部５５は、上下方向７において、後壁５０の上面４９から下面（不図示）に亘って形成されている。第２凹部５５の下端と第１凹部４８の上端とは連続している。
【００５５】
第２凹部５５を構成する一対の側面６８には、スキャナ筐体２３が第１状態において上下方向７に延びた長穴６９が設けられている。
【００５６】
［手差しトレイ７０］
図１に示されるように、プリンタ部１１の後側に手差しトレイ７０が設けられている。手差しトレイ７０は、薄型の平板形状の部材である。図４に示されるように、手差しトレイ７０は、直線路３４よりも上方に設けられている。
【００５７】
図５に示されるように、手差しトレイ７０の左右両端の側面７１の下端部には、開口７２が設けられている。
【００５８】
手差しトレイ７０は、左右両端の側面７１がプリンタ筐体１４の一対の側面６６及びスキャナ筐体２３の一対の側面６８と対向した状態で、第１凹部４８及び第２凹部５５に収容されている。この際、開口７２に上述した突起６７が挿入される。
【００５９】
これにより、手差しトレイ７０は、突起６７を中心に回動可能な状態となる。詳細には、手差しトレイ７０は、突起６７を中心に矢印９４、９８（図８参照）の方向に回動することによって、図１及び図７に示される第３状態と、図２及び図８に示される第４状態に変化する。
【００６０】
手差しトレイ７０は、第３状態において、回動先端が回動軸線５３よりも上方に位置するように、後壁４６、５０に沿って起立している。また、手差しトレイ７０は、第４状態において、後壁４６、５０に対して、回動先端側が回動基端側よりも後方斜め上方となるように傾倒している。つまり、手差しトレイ７０は、第４状態において、回動先端が第３状態よりも後壁４６、５０から離間している。
【００６１】
図１、図５、及び図７に示されるように、第３状態の手差しトレイ７０の下側、つまり回動基端側は、プリンタ筐体１４の第１凹部４８に収容されている。また、第３状態の手差しトレイ７０の上側、つまり回動先端側は、スキャナ筐体２３の第２凹部５５に収容されている。
【００６２】
また、図１及び図５に示されるように、第１状態のスキャナ筐体２３の後壁５０の上面４９と、第３状態の手差しトレイ７０の上面７５とは、同一平面上に位置している。また、プリンタ筐体１４の後壁４６の後面７６と、第１状態のスキャナ筐体２３の後壁５０の後面７７と、第３状態の手差しトレイ７０の後面７８とは、同一平面上に位置している。
【００６３】
図４及び図８に示されるように、手差しトレイ７０が第４状態のとき、手差しトレイ７０の前面７９には、記録用紙１２が支持される。ここで、前面７９は、上側ガイド部材１７との間の隙間８１を介して直線路３４へ通じている。上述したように、記録用紙１２は、先端が搬送ローラ対５９と接触した状態で支持される。なお、前面７９には、支持された記録用紙１２の左右両端と当接するサイドガイド８２が設けられている。
【００６４】
［保持部９０］
図５及び図８に示されるように、複合機１０には、手差しトレイ７０を、スキャナ筐体２３と連結した連結状態及びスキャナ筐体２３との連結が解除された解除状態に変化させる保持部９０が設けられている。本実施形態において、保持部９０は、手差しトレイ７０の側面７１に設けられた平板形状の可撓部８０と、可撓部８０に取り付けられた突起７３（本発明の突起部の一例）と、上述した長穴６９（本発明の係合部の一例）とを備えている。
【００６５】
可撓部８０は、側面７１のうち、手差しトレイ７０が第３状態のときにスキャナ筐体２３の一対の側面６８と対向する位置に設けられている。
【００６６】
可撓部８０は、手差しトレイ７０の回動中心側の端部において側面７１と一体化されているが、他の部分において側面７１から離間している。これにより、可撓部８０は、手差しトレイ７０の回動中心側の端部を中心として弾性変形により左右方向９に撓むことが可能である。なお、可撓部８０は、左右方向９に撓むことが可能であるならば、手差しトレイ７０の回動中心側の端部以外において側面７１と一体化していてもよい。
【００６７】
可撓部８０には、突起７３が一体に取り付けられている。突起７３は、手差しトレイ７０からスキャナ筐体２３側へ左右方向９に沿って延びている。突起７３は、可撓部８０が左右方向９に撓むことによって、左右方向９に移動可能である。つまり、可撓部８０は、突起７３を左右方向９に沿って移動させる。突起７３は、手差しトレイ７０の側面７１から突出した突出位置、及び手差しトレイ７０の内部空間へ収容された収容位置へ移動可能である。
【００６８】
突起７３は、突出位置において、スキャナ筐体２３の一対の側面６８に設けられた長穴６９に挿入可能である。突起７３が長穴６９に挿入された状態では、手差しトレイ７０とスキャナ筐体２３とは連結されている。つまり、手差しトレイ７０は連結状態である。手差しトレイ７０が連結状態のとき、突起７３は長穴６９と係合しているため、手差しトレイ７０は矢印９４の向きに回動することができない。つまり、長穴６９は、突起７３と係合して手差しトレイ７０の回動を規制可能である。
【００６９】
連結状態の手差しトレイ７０は、スキャナ筐体２３が第１状態のとき、第３状態に保持されている。また、連結状態の手差しトレイ７０は、後述するように、スキャナ筐体２３が第１状態から第２状態へ回動すると、当該回動に連動して矢印９４の向きに回動する。
【００７０】
手差しトレイ７０が連結状態、つまり突起７３が長穴６９に挿入された状態で、手差しトレイ７０の回動先端側がユーザによって後方へ引っ張られると、突起７３の表面が長穴６９を形成する側面を押す。これにより、突起７３の表面は長穴６９の側面から反作用の力を受ける。この反作用の力により、可撓部８０は、突起７３を突出位置から収容位置へ移動させる向きに撓む。これにより、突起７３は、長穴６９から離間して、手差しトレイ７０の内部空間へ収容される。その結果、突起７３と長穴６９との係合が解除されるため、手差しトレイ７０とスキャナ筐体２３との連結が解除される。これにより、手差しトレイ７０は回動自在な状態になる。つまり、可撓部８０は、突起７３を長穴６９から離間する位置に移動させることによって、手差しトレイ７０を解除状態に変化させる。
【００７１】
第４状態の手差しトレイ７０が第３状態へ回動される際、突起７３の表面がスキャナ筐体２３の後壁５０の後面７７を押す。これにより、突起７３の表面は後面７７から反作用の力を受ける。この反作用の力により、可撓部８０は、突起７３を突出位置から収容位置へ移動させる向きに撓む。これにより、突起７３は、後面７７から離間して、手差しトレイ７０の内部空間へ収容された状態となる。この状態において、手差しトレイ７０が更に第３状態側へ回動されると、収容位置の突起７３は、一対の側面６８と当接する。このまま、手差しトレイ７０が更に第３状態側へ回動されると、突起７３は長穴６９に到達する。このとき、撓んだ可撓部８０が元の状態に戻ろうとする力が作用するため、突起７３は収容位置から突出位置に移動して長穴６９に挿入される。これにより、突起７３は長穴６９と係合するため、手差しトレイ７０とスキャナ筐体２３とが連結される。その結果、手差しトレイ７０は回動することができなくなる。つまり、手差しトレイ７０は、第３状態に保持された状態となる。以上より、保持部９０は、突起７３を長穴６９と係合する位置に移動させることによって、手差しトレイ７０を連結状態に変化させる。
【００７２】
なお、本実施形態では、反作用の力を受けた突起７３が容易に移動可能であるために、突起７３の表面は球面状に構成されているが、突起７３が容易に移動可能であるならば、突起７３の表面は球面状に限らない。
【００７３】
［スキャナ筐体２３及び手差しトレイ７０の連動動作］
保持部９０は、手差しトレイ７０が連結状態において、スキャナ筐体２３の第１状態から第２状態への回動に連動して、手差しトレイ７０を第４状態側へ回動させ、スキャナ筐体２３の第２状態から第１状態への回動に連動して、手差しトレイ７０を第３状態側へ回動させる。
【００７４】
図７に示されるように、スキャナ筐体２３が第１状態であって、手差しトレイ７０が連結状態且つ第３状態のとき、突起７３は、長穴６９の下端部において係合している。
【００７５】
この状態において、スキャナ筐体２３が第２状態側へ、つまり矢印９１の向きへ回動すると、長穴６９の前側面９２は突起７３と当接して、突起７３を当該長穴６９に沿って矢印９３の向き（本発明の第１向きの一例）へ案内する。
【００７６】
ここで、スキャナ筐体２３は、回動軸線５３を中心に矢印９１の向きへ回動しているため、長穴６９は、当該回動によって後方斜め下方へ、つまり下方且つ後方へ移動する。長穴６９の下方への移動に対して、突起７３は上述したように長穴６９に対して矢印９３の向きへ摺動する。一方、長穴６９の後方への移動に対して、突起７３は長穴６９の前側面９２に押されることによって後方へ移動する。これにより、突起７３が設けられた手差しトレイ７０は、第４状態側へ、つまり矢印９４の向きへ回動する。その結果、スキャナ筐体２３が第１状態から第２状態へ変化したとき、図９に示されるように、手差しトレイ７０は第３状態よりも第４状態側に位置している。
【００７７】
以上より、突起７３は、スキャナ筐体２３の第１状態から第２状態への回動に連動して、長穴６９に対して矢印９３の向きへ摺動して、手差しトレイ７０を第４状態側へ回動させる。また、長穴６９は、係合した突起７３に摺動可能である。
【００７８】
図９に示される状態のとき、突起７３は、長穴６９と、図７に示される状態のときよりも上端部側において係合している。この状態において、スキャナ筐体２３が第１状態側へ、つまり、矢印９５の向きへ回動すると、長穴６９の後側面９６は突起７３と当接して、突起７３を当該長穴６９に沿って矢印９３と逆向きの矢印９７の向き（本発明の第２向きの一例）へ案内する。
【００７９】
ここで、スキャナ筐体２３は、回動軸線５３を中心に矢印９５の向きへ回動しているため、長穴６９は、当該回動によって前方斜め上方へ、つまり上方且つ前方へ移動する。長穴６９の上方への移動に対して、突起７３は上述したように長穴６９に対して矢印９７の向きへ摺動する。一方、長穴６９の前方への移動に対して、突起７３は長穴６９の後側面９６に押されることによって前方へ移動する。これにより、突起７３が設けられた手差しトレイ７０は、第３状態側へ、つまり矢印９８の向きへ回動する。その結果、スキャナ筐体２３が第２状態から第１状態へ変化したとき、図７に示されるように、手差しトレイ７０は第３状態である。
【００８０】
以上より、突起７３は、スキャナ筐体２３の第２状態から第１状態への回動に連動して、長穴６９に対して矢印９７の向きへ摺動して、手差しトレイ７０を第３状態側へ回動させる。
【００８１】
［実施形態の効果］
本実施形態によれば、手差しトレイ７０が第３状態のときにスキャナ筐体２３が第１状態から第２状態に変化すると、手差しトレイ７０は第４状態側へ回動する。これにより、スキャナ筐体２３が回動する範囲と手差しトレイ７０が回動する範囲とが重複するレイアウトが採用されても、手差しトレイ７０がスキャナ筐体２３の第２状態への回動を妨害することを防止できる。スキャナ筐体２３が第２状態から第１状態へ変化すると、手差しトレイ７０は第３状態側へ回動する。これにより、第４状態の手差しトレイ７０は、第３状態へ回動可能となる。
【００８２】
また、本実施形態によれば、手差しトレイ７０が第３状態のときにスキャナ筐体２３が第１状態から第２状態に変化する際、突起７３は長穴６９に対して矢印９３の向きへ摺動して、手差しトレイ７０を第４状態側へ回動させることができる。また、スキャナ筐体２３が第２状態から第１状態へ変化する際、突起７３は長穴６９に対して矢印９７の向きへ摺動して、手差しトレイ７０を第３状態側へ回動させることができる。
【００８３】
また、本実施形態によれば、突起７３を移動させるだけで手差しトレイ７０を連結状態と解除状態とに変化させることができるため、手差しトレイ７０を連結状態と解除状態とに変化させる構成を簡易な構成で実現できる。
【００８４】
また、本実施形態によれば、第２凹部５５がスキャナ筐体２３の上面４９にまで設けられているため、複合機１０の前側から複合機１０の後側に設けられた第３状態の手差しトレイ７０へ上方からアクセス容易である。これにより、複合機１０の前側から手差しトレイ７０を容易に回動させることができる。また、第３状態の手差しトレイ７０を第１凹部４８及び第２凹部５５に収納することができるため、複合機１０を小型化することができる。
【００８５】
また、本実施形態によれば、第１状態のスキャナ筐体２３の上面４９と、第３状態の手差しトレイ７０の上面７５とが面一であるため、複合機１０の外観を良くすることができる。
【００８６】
また、本実施形態によれば、プリンタ筐体１４の後壁４６の後面７６と、第１状態のスキャナ筐体２３の後壁５０の後面７７と、第３状態の手差しトレイ７０の後面７８とが面一であるため、複合機１０の外観を良くすることができる。
【００８７】
また、本実施形態によれば、手差しトレイ７０は、直線路３４よりも上方に設けられているため、手差しトレイ７０と記録用紙１２よりも厚みのある記録メディアとの接触を防止できる。
【００８８】
また、本実施形態によれば、使用頻度が比較的高い読取機構を備えた構成において、スキャナ筐体２３の回動範囲に手差しトレイ７０を配置することができる。
【００８９】
［変形例］
上述の実施形態では、第２凹部５５を構成する一対の側面６８に、長穴６９が設けられ、手差しトレイ７０の側面７１に、突起７３及び可撓部８０が設けられていたが、側面７１に長穴６９が設けられ、側面６８に突起７３及び可撓部８０が設けられていてもよい。つまり、突起７３は、手差しトレイ７０またはスキャナ筐体２３の一方に設けられ、長穴６９は、手差しトレイ７０またはスキャナ筐体２３の他方に設けられていればよい。
【００９０】
また、上述の実施形態では、保持部９０は、弾性変形によって突起７３を移動させる可撓部８０を備えていたが、可撓部８０以外によって突起７３を移動させてもよい。例えば、保持部９０は、突起６７と連結されており、ユーザに操作されることによって、突起６７を突出位置及び収容位置の間で移動させるレバー部を備えていてもよい。そして、ユーザがレバー部を操作して突起６７を突出位置に移動させることによって、手差しトレイ７０は連結状態とされ、ユーザがレバー部を操作して突起６７を収容位置に移動させることによって、手差しトレイ７０が解除状態とされてもよい。
【００９１】
また、上述の実施形態では、保持部９０は、突起７３と長穴６９とを備えていたが、保持部９０は、このような構成に限らない。例えば、保持部９０は、手差しトレイ７０の側面７１に設けられた第１開口と、スキャナ筐体２３の側面６８に設けられた第２開口と、一端側に第１開口に挿入される第１突起を有し且つ他端側に第２開口に挿入される第２突起を有したリンク機構とを備えていてもよい。この場合、スキャナ筐体２３が第１状態から第２状態へ回動すると、リンク機構を介して手差しトレイ７０が第４状態側へ回動され、スキャナ筐体２３が第２状態から第１状態へ回動すると、リンク機構を介して手差しトレイ７０が第３状態側へ回動される。
【００９２】
また、上述の実施形態では、スキャナ筐体２３が第１状態において長穴６９は上下方向７に延びるように構成されていたが、長穴６９の延びる方向は、上述したスキャナ筐体２３及び手差しトレイ７０の連動動作を実現可能であるならば、これに限らない。例えば、スキャナ筐体２３が第１状態において、長穴６９は上下方向７に対して傾斜した方向に延びていてもよい。
【００９３】
また、上述の実施形態では、本発明の第２筐体は読取機構を有したスキャナ筐体であったが、当該第２筐体は読取機構を有していなくてもよい。例えば、当該第２筐体は、複合機１０内に記録用紙１２が詰まった際に、当該記録用紙１２を取り除くためにプリンタ筐体１４の上側を覆った状態から当該上側を開放した状態へ回動される上部カバーであってもよい。
【００９４】
また、上述の実施形態では、記録メディアに画像を記録する際には、記録メディアが支持されたメディアトレイ１１０が、プリンタ筐体１４へ挿入されたが、メディアトレイ１１０を使用せずに、記録メディアを直接プリンタ筐体１４へ挿入して、記録メディアに画像を記録してもよい。
【００９５】
また、上述の実施形態では、プリンタ筐体１４には、手差しトレイ７０の下側が収容される第１凹部４８が設けられ、スキャナ筐体２３には、手差しトレイ７０の上側が収容される第２凹部５５が設けられていたが、第１凹部４８及び第２凹部５５が設けられていなくてもよい。
【符号の説明】
【００９６】
１０・・・複合機
１２・・・記録用紙
１４・・・プリンタ筐体
２３・・・スキャナ筐体
２４・・・記録部
３４・・・直線路
４６・・・後壁
６７・・・突起
７０・・・手差しトレイ
８０・・・可撓部
９０・・・保持部
【図１】
2015067450.tif 000003
【図２】
2015067450.tif 000004
【図３】
2015067450.tif 000005
【図４】
2015067450.tif 000006
【図５】
2015067450.tif 000007
【図６】
2015067450.tif 000008
【図７】
2015067450.tif 000009
【図８】
2015067450.tif 000010
【図９】
2015067450.tif 000011